(57)【要約】【課題】表面プラズモン共鳴現象を利用して被測定試料の屈折率、濃度、たんぱく質、抗体・抗原反応などを高感度に検出することができるバイオセンサ、バイオセンサの製造方法、およびセンサ計測システム。【解決手段】透明丸棒２と、透明丸棒２の片端の端面２ａに形成された金属反射鏡４０と、透明丸棒２の前記片端の外周側面に形成された金属薄膜３と、外周側面の金属薄膜３上に形成され、光架橋剤を含んだ光固定化剤及び被固定化物質が固定化された有機物質層４とを備えるバイオセンサ、バイオセンサの製造方法、およびセンサ計測システム。【選択図】図１
2009133844.tif 000002
【特許請求の範囲】
【請求項１】
透明丸棒と、
前記透明丸棒の片端の端面に形成された金属反射鏡と、
前記透明丸棒の前記片端の外周側に形成された金属薄膜と、
前記外周側面の金属薄膜上に形成され、光架橋剤を含んだ光固定化剤で被固定化物質を固定化してなる有機物質層とを備え、
前記透明丸棒の材料は、石英系ガラスもしくは光学系ガラスであって、
前記金属薄膜は、クロム膜を形成した上に金（Au)、銀（Ag)、亜鉛（Zn)、アルミニウム（Al)、又はカリウム（K)膜を形成した多層構造であることを特徴とするバイオセンサ。
【請求項２】
前記有機物質層は、ディップコーティングにより形成されていることを特徴とする請求項１のバイオセンサ。
【請求項３】
前記光架橋剤は、1分子に少なくとも２個以上の光反応性基を有し、前記光反応性基は、アジド基であることを特徴とする請求項１または２記載のバイオセンサ。
【請求項４】
前記光固定化剤は、被固定化物質の非特異吸着を防止するポリエチレングリコール（メタ）アクリレートの水溶液であることを特徴とする請求項１乃至３のいずれか1項記載のバイオセンサ。
【請求項５】
前記被固定化物質は、ポリペプチドもしくはタンパク質、核酸、脂質、細胞等の生体物質であることを特徴とする請求項１乃至４のいずれか1項記載のバイオセンサ。
【請求項６】
透明丸棒を準備する工程と、
前記透明丸棒の片端の端面に金属反射鏡を形成する工程と、
前記透明丸棒の前記片端の外周側面に金属薄膜を形成する工程と、
前記外周側面の金属薄膜上に、光架橋剤を含んだ光固定化剤で被固定化物質を固定化してなる有機物質層を形成する工程と
を有し、
前記透明丸棒の材料は、石英系ガラスもしくは光学系ガラスであって、
前記金属薄膜は、クロム膜を形成した上に金（Au)、銀（Ag)、亜鉛（Zn)、アルミニウム（Al)、又はカリウム（K)膜を形成した多層構造であって、
前記有機物質層を形成する工程は、
前記外周側面の金属薄膜上に、前記光架橋剤を含んだ光固定化剤及び前記被固定化物質を有する塗布液をディップコーティングする工程と、
前記ディップコーティングされた前記光架橋剤を含んだ光固定化剤及び前記被固定化物質に紫外線を照射することにより、前記外周側面の金属薄膜上に固定化する工程、とからなることを特徴とするバイオセンサの製造方法。
【請求項７】
前記透明丸棒の材料は、石英系ガラスもしくは光学系ガラスであって、前記金属薄膜は、最内層がクロム膜である多層構造であることを特徴とする請求項６のバイオセンサの製造方法。
【請求項８】
表面プラズモン共鳴現象を応用して物質間相互作用を検出するセンサ計測システムであって、
表面プラズモン共鳴現象により物質間相互作用を検出する請求項１乃至５のいずれか１項記載のバイオセンサを備えるセンサプローブと、
前記センサプローブを保持するセンサプローブ保持具と、
前記センサプローブに光を入射する光源と、
前記光源からの入射光を、前記センサプローブに伝搬し、前記センサプローブからの反射光を光検出器まで伝搬する光カプラと、
前記反射光を検出する光検出器と
を備えることを特徴とするセンサ計測システム。
【発明の詳細な説明】
【技術分野】
【０００１】
本発明は、バイオセンサおよびその製造方法、およびセンサ計測システムに関し、特にポリペプチドやタンパク質、核酸、細胞などの生体物質を、光固定化剤を介して透明丸棒の外周側面の金属薄膜上に固定し、表面プラズモン共鳴現象を利用して被測定試料の屈折率、濃度、たんぱく質、抗体・抗原反応などを検出するバイオセンサおよびその製造方法、およびセンサ計測システムに関する。
【背景技術】
【０００２】
表面プラズモン共鳴（ＳＰＲ：Ｓｕｒｆａｃｅ Ｐｌａｓｍｏｎ Ｒｅｓｏｎａｎｃｅ）現象とは、表面に厚さ数１０ｎｍの金属薄膜を形成した誘電体内に白色光を入射させた場合において、特定の入射角或は特定の波長で生じるエバネッセント波が金属薄膜表面の電子振動と共鳴する現象である。
【０００３】
このＳＰＲ現象を応用して物質の屈折率を測定するセンサが開発されており、その一つとして、光ファイバを用いたものがある。  この光ファイバ型表面プラズモンセンサについては、1990年頃に米国ワシントン大学より提案され、溶液の成分や屈折率、そして膜厚等について高感度且つリアルタイムで計測でき、コンパクト且つ簡便なセンサとして注目されていたが、センサプローブの光ファイバコアの外周側面上に検出目的物質の抗原または抗体と反応させる物質の抗体または抗原等の生体物質の固定化方法が確立されてないため、十数年が経った現在でも、未だ光ファイバ型バイオセンサとして実用化されていない。
【０００４】
一方、平面形状プレートやチップ等の基体上に抗体または抗原等の生体物質を固定化する方法として、物理吸着法や官能基共有結合法がよく知られているが、これらの固定化方法を用いて光ファイバコアの外周側面上に抗体または抗原等の生体物質の固定化に成功した事例はない。
【０００５】
近年、光反応性基を有する水溶性光固定化剤を用いて、平面形状のプレートやチップ等の基体上に抗体または抗原等の生体物質を固定し、非特異吸着の防止効果があるためブロッキング処理は不要となり、しかも目的物質の抗原または抗体との結合感度が高い光固定化法が提案されている（例えば、特許文献１、特許文献２および特許文献３参照。）。
【特許文献１】特開２００６−３２２７０８号公報
【特許文献２】特開２００７−１３９５８７号公報
【特許文献３】特開平１０−２８２０３９号公報
【発明の開示】
【発明が解決しようとする課題】
【０００６】
本発明の目的は、表面プラズモン共鳴現象を利用して被測定試料の屈折率、濃度、たんぱく質、抗体・抗原反応などを高感度に検出することができる光ファイバ型のバイオセンサおよびその製造方法、およびセンサ計測システムを提供することにある。
【課題を解決するための手段】
【０００７】
上記目的を達成するための本発明の一実施態様によれば、透明丸棒と、前記透明丸棒の片端の端面に形成された金属反射鏡と、前記透明丸棒の前記片端の外周側面に形成された金属薄膜と、前記外周側面の金属薄膜上に、光架橋剤を含んだ光固定化剤で、被固定化物質を固定化してなる有機物質層とを備え、前記透明丸棒の材料は、石英系ガラスもしくは光学系ガラスであって、
前記金属薄膜は、クロム膜を形成した上に金（Au)、銀（Ag)、亜鉛（Zn)、アルミニウム（Al)、又はカリウム（K)膜を形成した多層構造であるバイオセンサが提供される。
【０００８】
本発明の他の実施態様によれば、透明丸棒を準備する工程と、前記透明丸棒の片端の端面に金属反射鏡を形成する工程と、前記透明丸棒の前記片端の外周側面に金属薄膜を形成する工程と、前記外周側面の金属薄膜上に、光架橋剤を含んだ光固定化剤及び被固定化物質が固定化された有機物質層を形成する工程とを有し、
前記透明丸棒の材料は、石英系ガラスもしくは光学系ガラスであって、
前記金属薄膜は、クロム膜を形成した上に金（Au)、銀（Ag)、亜鉛（Zn)、アルミニウム（Al)、又はカリウム（K)膜を形成した多層構造であって、
前記有機物質層を形成する工程は、前記外周側面の金属薄膜上に、前記光架橋剤を含んだ光固定化剤及び前記被固定化物質を有する塗布液をディップコーティングする工程と、前記ディップコーティングされた前記光架橋剤を含んだ光固定化剤及び前記被固定化物質に紫外線を照射することにより、前記外周側面の金属薄膜上に固定化する工程とからなるバイオセンサの製造方法が提供される。
【０００９】
本発明の他の態様によれば、表面プラズモン共鳴現象を応用して物質間相互作用を検出するセンサ計測システムであって、表面プラズモン共鳴現象により物質間相互作用を検出する上記本発明のバイオセンサを備えるセンサプローブと、前記センサプローブを保持するセンサプローブ保持具と、前記センサプローブに光を入射させる光源と、前記光源からの入射光を、前記センサプローブに伝搬し、前記センサプローブからの反射光を光検出器まで伝搬する光カプラと、前記反射光を検出する光検出器とを備えるセンサ計測システムが提供される。
【００１０】
本発明の他の態様によれば、前記光架橋剤は、1分子に少なくとも２個以上の光反応性基を有する構造であり、前記光反応性基はアジド基である。前記光固定化剤は、前記被固定化物質の非特異吸着を防止できるポリエチレングリコール（メタ）アクリレートのホモポリマーもしくはコポリマーで形成されていても良い。
【００１１】
本発明の他の態様によれば、前記被固定化物質は、ポリペプチドやタンパク質、核酸、脂質、細胞等の生体物質で形成されていても良い。
【発明の効果】
【００１２】
本発明のバイオセンサ、バイオセンサの製造方法、およびセンサ計測システムによれば、透明丸棒の外周側面の金属薄膜上に、タンパク質等の生体物質及び光反応性基を有する光架橋剤を含んだ光固定化剤を有する塗布液を、ディップコーティングし、紫外線を照射して固定化することにより有機物質層を形成し、表面プラズモン共鳴現象を利用して被測定試料の屈折率、濃度、たんぱく質、抗体・抗原反応などを高感度に検出することができる。
【発明を実施するための最良の形態】
【００１３】
次に、図面を参照して、本発明の実施の形態を説明する。以下の図面の記載において、同一又は類似の部分には同一又は類似の符号を付している。ただし、図面は模式的なものであり、現実のものとは異なることに留意すべきである。又、図面相互間においても互いの寸法の関係や比率が異なる部分が含まれていることはもちろんである。
【００１４】
又、以下に示す実施の形態は、この発明の技術的思想を具体化するための装置を例示するものであって、この発明の技術的思想は、各構成部品の配置などを下記のものに特定するものでない。この発明の技術的思想は、特許請求の範囲において、種々の変更を加えることができる。
【００１５】
[第１の実施の形態]
（光ファイバ型バイオセンサのセンサプローブ構造）
図１は、本発明の第１の実施の形態に係る光ファイバ型バイオセンサのセンサプローブ１の模式的断面構造図を示す。また、図２は、本発明の第１の実施の形態に係る光ファイバ型バイオセンサのセンサプローブ１部分の拡大された模式的断面構造図を示す。
【００１６】
本発明の第１の実施の形態に係る光ファイバ型バイオセンサは、図１および図２に示すように、透明丸棒２と、透明丸棒２の片端の端面（センサ検出端面）２ａに形成された金属反射鏡４０と、透明丸棒２の前記片端の外周側面に形成された金属薄膜３と、外周側面の金属薄膜３上に形成され、光架橋剤を含んだ光固定化剤及び被固定化物質が固定化された有機物質層４とを備える。
【００１７】
光架橋剤は、1分子に少なくとも２個以上の光反応性基を有し、光反応性基は、アジド基であっても良い。
【００１８】
光固定化剤は、被固定化物質の非特異吸着を防止するポリエチレングリコール（メタ）アクリレートの水溶液であっても良い。
【００１９】
被固定化物質は、ポリペプチドもしくはタンパク質、核酸、脂質、細胞等の生体物質であっても良い。
【００２０】
また、透明丸棒２の材料は、市販の石英系ガラス、ＢＫ７（商標）等の光学系ガラス、もしくはＰＭＭＡ等の光学系ポリマーを用いることができる。
【００２１】
透明丸棒の外径については特に限定はないが、例えば、約５μｍ〜５０００μｍ程度の範囲とすることができ、望ましくは、例えば、約１００μｍ〜６００μｍ程度である。
【００２２】
この透明丸棒の外径を大きくする事により、測定可能な波長帯域を広くする事ができる。即ち、透明丸棒として、光ファイバのコア部分を使用した場合、その外径が大きければ、NA(Numerical Aperture、以下「開口数」とも言う)が大きくなる為である。
【００２３】
また本発明に係るバイオセンサは、透明丸棒の屈折率をｎ１とし、、透明丸棒における金属薄膜以外の部分を被覆する被覆層の屈折率をｎ２としたとき、ｎ１はｎ２より大きく、０．１０＜（ｎ１２−ｎ２２）１／２＜０．８０とすることが望ましい。例えば、ｎ１を１．４７５とし、ｎ２を１．４２８として、（ｎ１２−ｎ２２）１／２は０．３７にすることができる。
このような透明丸棒の屈折率ｎ１と被覆層の屈折率ｎ２との関係を規定する事によって、光源から入射した光を透明丸棒中に閉じ込めて、側面からの透過を阻止することができる。
【００２４】
さらに、この透明丸棒の断面形状は、円形、楕円形、矩形の何れであっても良い。ここで円形とは真円を含む実質的に加工・作成可能な円形である事を意味する。
【００２５】
また、金属薄膜３に用いる金属としては、例えばＡｇ、Ａｕ、Ｃｕ、Ｚｎ、Ａｌ、Ｋが好ましく、特にＡｇ、Ａｕが好適である。
【００２６】
金属薄膜３は、例えば真空蒸着もしくはスパッタリング、めっき等によって、金属を透明丸棒の側面に堆積させて形成される。金属薄膜３の厚さは、ＳＰＲが生じればよく、特に限定されないが、例えば、約１０ｎｍ〜８０ｎｍ程度の範囲とすることができ、特に望ましくは、約３０ｎｍ〜６０ｎｍ程度である。また、金属薄膜３は合金組成で形成されていてもよい。
【００２７】
但し、緻密性の高い金属薄膜を形成するには、スパッタリングによって形成する事が望ましい。金属薄膜の緻密性を高めることにより、バイオセンサの環境耐性が向上し、金属膜が剥離しにくなり、使用耐久性を高める事ができる。
【００２８】
また、金属薄膜３は、透明丸棒表面への密着性を向上させために、例えば透明丸棒表面にまずクロム（Ｃｒ）膜を極めて薄く形成し、さらにその上に金（Ａｕ）膜等を形成した多層構造をもって形成されていてもよい。
【００２９】
金属薄膜３の構成において、薄いＣｒ膜の層を下地層として用いた多層構造とする場合には、当該Ｃｒ膜の層はプラズモン共鳴にあまり適さないので、極力薄い層として形成する事が重要である。具体的には、当該Ｃｒ膜の層は、０．１〜１０ｎｍの範囲で形成する事が望ましく、特に１〜５ｎｍの範囲である事が望ましい。
【００３０】
金属反射鏡４０は、透明丸棒に入射した光を反射させる機能を有し、少なくとも当該機能を確保できる材料が使用される。例えば、Ａｇ、Ａｌを使用し、その表面（外側）にＡｕ層を設けた２層構造にすることもできる。特に、ＡｇやＡｌは空気中で容易に酸化されることから、Ａｇ等の表面に酸化安定性を有するＡｕ層を設ける事により、当該金属反射膜の酸化を阻止する事ができる。また、この金属反射鏡４０は安定した反射率を得るために、１００ｎｍ〜２５００ｎｍの膜厚に形成し、望ましくは５００ｎｍ以上に形成する。但し、透明丸棒の外径との関係にもよるが、あまり厚すぎると剥がれ落ちるおそれがある為、２５００ｎｍ以下にすることが望ましい。一例として、内側にＡｇ層を形成し、その上にＡｕ層を形成した二層薄膜構造にすることができ、金属薄膜の厚さを５５０ｎｍにすることができる。
【００３１】
有機物質層４が形成される透明丸棒における金属薄膜が被覆されている領域の長さは、適宜選択されればよいが、例えば約２〜５０ｍｍ程度とすることができ、約５〜２０ｍｍ程度が好ましい。
【００３２】
透明丸棒３において有機物質層が形成される領域は、被固定化物質を固定化する領域であり、この長さが短すぎるとセンサ感度が鈍くなる。逆に長すぎると作業上及び使用上の折れや欠けなどのトラブルを引き起こしやすくなり、更に検出時に使用する試料の量も多く必要になる。
【００３３】
この有機物質層（即ち、金属薄膜が被覆されている領域）が形成される領域（センシング部）の長さ（即ち、センシング長）と共鳴波長での深さの相関関係を図９に示す。この図からも明らかなように、光ファイバ型バイオセンサのセンシング部の長さが長くなるほど、反射光の減衰量が大きくなり、測定結果におけるＳＰＲ共鳴波形がシャープになる。即ち、「センシング長さ−共鳴波長での深さ」のグラフにおける共鳴波長での深さが深くなる。一方、このセンシング部の長さが５ｍｍ以上、特に１０ｍｍ以上になると、共鳴強度の変化量（即ち、「センシング長さ−共鳴波長での深さ」のグラフにおける傾き）が鈍くなり、また前述した長すぎる事による問題が派生する。よって、光ファイバ型バイオセンサにおいて、検知性能を確保しながら使用上の問題を回避するには、当該有機物質層４が形成される透明丸棒の長さは、約５〜２０ｍｍ、特に８〜１３ｍｍ程度にすることが望ましい。
【００３４】
被固定化物質は、所定の被検出物７と相互作用を行う反応物質からなる反応層４ａであれば特に限定されない。反応物質としては、例えば、各種の抗原、抗体、タンパク質や糖類等の生体物質がある。
【００３５】
生体物質として用いる抗原または抗体としては、例えばアレルギーの原因となる抗原や抗体があり、この場合、例えばダニ、スギ花粉、ブタクサ花粉、シラカバ花粉、ヨモギ花粉等の抗原或いはこれらの抗原を認識する抗体等を用いることができる。
【００３６】
また、生体物質として用いる抗原または抗体として、例えば加工食品の残留農薬や残留抗生物質等を検出する抗原や抗体があり、この場合、例えば養殖魚介類やうなぎ等の体内残留抗生物質や、食料品や野菜の残留農薬等の抗原或いはこれらの抗原を認識する抗体などを用いることができる。
【００３７】
また、生体物質として用いる抗原または抗体として、例えば食中毒や伝染病の原因となるウィルスや病原菌等の抗原や抗体があり、この場合、例えば食中毒の原因となるＯ１５７や大腸菌、インフルエンザ病原菌等の抗原或いはこれらの抗原を認識する抗体等を用いることができる。
【００３８】
光架橋剤に含まれる光反応性基は、例えば光を照射することによりラジカルを放出する官能基であって、このラジカルによりアミノ基やカルボキシル基等の官能基または有機化合物を構成する炭素原子と結合を形成するものである。このような光反応性基としては、光照射によって水溶性ポリマーと生体物質或いは金属薄膜３との結合形成を誘起する官能基であれば特に限定されない。光反応性基としては、例えばアジド基が挙げられ、より具体的にはフェニルアジド基、アセチル基、ベンゾイル基が挙げられ、特に好ましいものはフェニルアジド基である。
【００３９】
光反応性基を有する水溶性ポリマーを用いて生体物質を金属薄膜３上に固定化する場合には、紫外線照射に伴って開始されるラジカル反応によって生体物質を固定することができるため、対象とする生体物質（被固定化物質に担持する反応物質からなる反応層４ａ）の種類を特に限定する必要がないという利点を有する。
【００４０】
また、被固定化物質を光固定化剤で固定した有機物質層の形成に際しては、必要に応じてチオール処理が行われた金属薄膜上に、被固定化物質および／または被固定化物質と特異的に反応する物質の基体表面への非特異吸着を防止する効果を有する水溶性ポリマー層を形成し、次いで、この水溶性ポリマー層上に、被固定化物質と１分子中に少なくとも２個の光反応性基を有する光架橋剤との混合物をコーティングして光照射することもできる。
【００４１】
また、水溶性ポリマーを使用することにより、有機物質層４における外来物質の「非特異的吸着」を防止することが可能となる。ここでいう「非特異的吸着」とは、被検出物と反応物質との結合とは無関係に、被検出物以外の物質が、吸着的、吸収的、共有結合的又はイオン結合的に有機物質層４に対して吸着、結合する現象である。この非特異的吸着は、センサ特性に悪影響を与えるため、可能な限り抑制することが望ましい。
【００４２】
（光ファイバ型バイオセンサの製造方法）
本発明の第１の実施の形態に係る光ファイバ型バイオセンサの製造方法は、透明丸棒２を準備する工程と、透明丸棒２の片端の端面２ａに金属反射鏡４０を形成する工程と、透明丸棒２の前記片端の外周側面に金属薄膜３を形成する工程と、外周側面の金属薄膜３上に、光架橋剤を含んだ光固定化剤及び被固定化物質が固定化された有機物質層４を形成する工程とを有する。
【００４３】
前記有機物質層４を形成する工程は、透明丸棒２の外周側面の金属薄膜３上に、直接もしくはチオール層を介して、生体物質と光固定化剤を有する塗布液を用いてディップコーティングする工程と、ディップコーティングされた塗布液を光照射により固定化し、有機物質層４を形成する工程、とから成る。
【００４４】
かかるディップコーティングでは、金属反射鏡および金属薄膜が設けられた透明丸棒を、生体物質と光固定化剤を有する塗布液に、必要とする規定時間浸漬し、そのあと設定速度にて塗布液中から空気中に引上げ、これを必要に応じて、複数回繰り返して所定の膜厚とすることができる。このディップコーティングは常温・常圧で行う他、必要に応じて加圧、又は減圧環境下で行う事もできる。
【００４５】
特に、本発明に係る光ファイバ型バイオセンサは、基体となる透明丸棒が棒状であり、かつ金属薄膜上に形成される有機物質層は、センサーの精度から２００ｎｍ以下の厚さに形成されている事が望ましいことから、当該有機物質層の形成にはディップコーティングが最適である。具体的には、被固定化物質を０．３〜０．００３重量％、および光固定化剤を当該被固定化物質の５％を配合した塗布液を用いてディップコーティングを行う事により、厚さが２００ｎｍ以下で、膜厚が均一な有機物質層を形成する事ができる。例えば、被固定化物質としてウシ血清アルブミン（ＢＳＡ）抗体を使用する場合、当該ＢＳＡを０．０３重量％、光固定化剤を０．００１５重量％の水溶液を塗布液としてディップコーティングを行う事により、厚さが２００ｎｍ以下で、均一な膜厚の有機物質層を形成することができる。
【００４６】
より具体的には、本発明の第１の実施の形態に係る光ファイバ型バイオセンサの製造方法は以下の通りである。
【００４７】
（ａ）まず、外径が約４００μｍ程度の石英ガラスからなる透明丸棒を準備する。透明丸棒は、例えば、市販の光ファイバのクラッド層を有機溶媒等で除去することによって容易に得られる。
【００４８】
（ｂ）次に、透明丸棒の端面にスパッタリングによって厚さ約５００ｎｍ以上の金属反射鏡４０を形成する。金属反射鏡４０として、銀（Ａｇ）／金（Ａｕ）の２層膜構造を用いる。
【００４９】
（ｃ）その後、透明丸棒の側面上にスパッタリングによって厚さ約５０ｎｍ程度の金属薄膜３を形成する。この金属薄膜を均一に形成するためには、スパッタリングに際して透明丸棒をチャンバ内で公転させるだけでなく、更に自転させる事が望ましい。金属薄膜３としては、金（Ａｕ）膜の１層構造を用いても良いし、石英ガラスとの密着性を図るために、厚さ約３ｎｍ程度のクロム（Ｃｒ）膜の上に金（Ａｕ）膜を厚さ約４７ｎｍ程度形成した２層構造としても良い。
【００５０】
（ｄ）次に、固定化剤として光反応性基を有する水溶性ポリマーを０．０５重量％と、生体物質としてウシ血清アルブミン（ＢＳＡ）抗体もしくは抗原を０．１重量％とを、純水に溶解して光反応性溶液を生成する。
【００５１】
（ｅ）そして、この溶液を金属薄膜３が形成された透明丸棒にディップコーティングする。
【００５２】
ここで、光反応性基としてアジド基を用いる場合、光として紫外線が好ましいため、有機物質層４に紫外線（波長３００ｎｍ〜４００ｎｍ）を照射して、ＢＳＡ抗体もしくは抗原を、金属薄膜３上に固定化する。
【００５３】
また、光反応性基との反応性をより高めるために、金属薄膜３の表面を周知の方法によりチオール処理しても良い。例えば、１ｍＭメルカプトエタノールを用いて、金属薄膜３の表面をチオール処理した後、前記生成された光反応性溶液に浸漬して、金属薄膜３の表面にディップコーティングし、光照射により固定化しても良い。
【００５４】
これによって、ＢＳＡ抗体もしくは抗原を含む光ファイバ型バイオセンサが得られる。
【００５５】
（光ファイバ型バイオセンサを適用したセンサ計測システム）
図３は、本発明の第１の実施の形態に係る光ファイバ型バイオセンサを適用した簡易センサ計測システムの模式的構成図を示す。また、図４は、本発明の第１の実施の形態に係る光ファイバ型バイオセンサを適用した簡易センサ計測システムの模式的構成であって、光源として、レーザダイオードＬＤもしくは発光ダイオードＬＥＤを用い、検出器としてフォトダイオードＰＤを用いた場合の模式的構成図を示す。
【００５６】
また、図５は、本発明の第１の実施の形態に係るファイバ型バイオセンサを適用した簡易センサ計測システムの模式的構成であって、光源１１として、レーザダイオードＬＤアレイ若しくは発光ダイオードＬＥＤアレイを用い、検出器１２としてフォトダイオードＰＤアレイを用いた場合の模式的構成図を示す。
【００５７】
本発明の第１の実施の形態に係る光ファイバ型バイオセンサを適用した簡易センサ計測システムは、図３に示すように、表面プラズモン共鳴現象を応用して物質間相互作用を検出するセンサ計測システム１０であって、表面プラズモン共鳴現象により物質間相互作用を検出するバイオセンサを備えるセンサプローブ１と、センサプロ−ブ１を保持するセンサプローブ保持具６と、センサプローブ１に光を入射する光源１１と、光源１１からの入射光を、センサプローブ１に伝搬し、センサプローブ１からの反射光を光検出器１２まで伝搬する光カプラ１３と、反射光を検出する光検出器１２とを備える。
【００５８】
ここで、センサプローブ１は、被測定試料１４に浸漬された状態で計測する。
【００５９】
また、本発明の第２の実施の形態に係る光ファイバ型バイオセンサを適用した簡易センサ計測システム１０において、光源１１は、図４に示すように、レーザダイオードもしくは発光ダイオード１１ａで構成され、光検出器１２は、フォトダイオード１２ａで構成されていても良い。
【００６０】
また、本発明の第３の実施の形態に係る光ファイバ型バイオセンサを適用した簡易センサ計測システムにおいて、光源１１は、図５に示すように、レーザダイオードアレイもしくは発光ダイオードアレイ１１ｂで構成され、光検出器１２は、フォトダイオードアレイ１２ｂで構成されていても良い。
【００６１】
一例として、光源１１として、白色光源を用い、光検出器１２には小型分光器（波長３５０ｎｍ〜１０５０ｎｍ）を用い、光ファイバ１３ａ，１３ｂ，１３ｃには、コア径約４００μｍ程度のマルチモード石英系光ファイバを使用して、センサプローブ保持具６を用いて、センサプローブ１を前記マルチモ−ド石英系光ファイバと接続し、光カプラ１３にはコア径約４００μｍ程度のマルチモード光ファイバ型光カプラを用いて、構成することができる。
【００６２】
上記光カプラ１３は、光源１１からの入射光をセンサープローブ１へ伝搬し、センサープローブ１からの反射光を光検出器１２に伝搬するものであり、所定波長帯域での伝搬損失の低いものが望ましい。
かかる光カプラ１３の具体例を図１０に示す。図１０（Ａ）は溶融型ファイバカプラ１６を示しており、図１０（Ｂ）はフィルタ型ファイバカプラ１７を示しており、図１０（Ｃ）は導波路型ファイバカプラ１８を示している。
これら図１０に示す各ファイバカプラ１６、１７、１８では、光源１１からの入射光は光ファイバ１３aを介して各ファイバカプラ１６、１７、１８に導かれ、各ファイバカプラ１６、１７、１８を透過して、光ファイバ１３ｃを介してセンサプローブ１に入射される。センサプローブ１に入射した光は金属反射鏡４で反射されて、光ファイバ１３ｃに導かれ、各ファイバカプラ１６、１７、１８を透過して、光ファイバ１３ｂに導かれ、光検出器１２に伝搬される。特に、図１０（Ａ）に示す溶融型ファイバカプラ１６では、光ファイバ１３ｄは参照光として用いることができる。また図１０（Ｂ）に示すフィルタ型ファイバカプラ１７は、ロッドレンズなどのレンズ１９，２０と、フィルタ２１との組み合わせにより構成する事ができる。
特に本発明にかかる光ファイバ型バイオセンサでは、上記のようなファイバ型光カプラを使用する事により、光源からの光を簡易かつ確実に透明丸棒内に入射させる事ができる。即ち、プリズムを用いた光カプラで必要になる光の伝播路の位置合わせが不要になる。
【００６３】
本発明の第１の実施の形態に係る光ファイバ型バイオセンサを適用した簡易センサ計測システムを用いることにより、被測定試料１４の溶液の成分や濃度は勿論、センサプローブ１に結合されている有機物質層４の膜厚、またはセンサプローブ１に担持した抗原または抗体等の反応物質からなる反応層４ａにより検知目的物質７の抗体または抗原の有無や免疫結合反応速度等が、ＳＰＲ共鳴波長の変化量としてリアルタイムかつ高感度で観測することができる。
【００６４】
また、被検出反応物質が限定された場合、光ファイバ型バイオセンサ計測システムは、図４に示すような簡易計測構造をすることもできる。
【００６５】
図４に示すように、光源１１としては所定波長のレーザダイオードもしくは発光ダイオード１１ａを用いて、光検出器１２としてフォトダイオード等が用いられる。
【００６６】
また、図５に示すように前記光源１１のＬＤもしくはＬＥＤは異なる波長の２個以上の並列構造アレイからなるレーザダイオードアレイもしくは発光ダイオードアレイ１１ｂを用いることができる。この場合、光検出器１２は所定光源波長に合わせて、２個以上の並列構造アレイからなるフォトダイオードアレイ１２ｂを用いることになる。この簡易計測構造のいずれにしても、被検出反応物質の有無や濃度によって、光出力強度の変化量が検出されることになる。
【００６７】
（光ファイバ型バイオセンサの観測システムによる結合反応の一例）
図６は、本発明の第１の実施の形態に係る光ファイバ型バイオセンサを用いて測定した被測定試料１４の試料溶液Ａの観測結果を示す。また、図７は、本発明の第１の実施の形態に係る光ファイバ型バイオセンサを用いて測定した試料溶液Ｂの観測結果を示す。また、図８は、本発明の第１の実施の形態に係る光ファイバ型バイオセンサを用いて測定した被測定試料１４の試料溶液Ａ、Ｂの測定データを示す。なお、ＢＳＡ抗原を固定化するＳＰＲセンサ抗体との結合反応時間は１５分とした。
【００６８】
図６は、ＢＳＡ抗原を担持した光ファイバ型バイオセンサのセンサプローブ１を、ＢＳＡ抗体を含有する被測定試料１４の試料溶液Ａに浸漬した場合、上記図３に示す観測システムを用いて検出されたＢＳＡ抗体・抗原の結合反応前後のＳＰＲ波長特性の一例を示したグラフである。
【００６９】
図６に示すようにグラフＰＢＳ＿１は、結合反応前にセンサプローブ１をリン酸バッファ溶液（ＰＢＳ）において観測されたＳＰＲ波長特性であり、ＢＳＡ_開始及びＢＳＡ＿１５分は、それぞれセンサプローブ１をＢＳＡ抗体を含有する試料溶液Ａに浸漬して結合反応開始及び１５分経過後のＳＰＲ波長特性であり、グラフＰＢＳ＿２は、結合反応後引上げたセンサプローブ１をＰＢＳバッファ溶液で洗浄して再びＰＢＳバッファ溶液において観測されたＳＰＲ波長特性である。また、本明細書においては、ＳＰＲ波長特性において正規化光強度が最小となる波長を「ＳＰＲ共鳴波長」と定義することとする。
【００７０】
ここで、用いた被測定試料１４の試料溶液ＡのＢＳＡ抗体濃度は２０μｇ／ｍｌである。また、ＢＳＡ（Δ）をグラフＢＳＡ_開始におけるＳＰＲ共鳴波長波長とグラフＢＳＡ＿１５分におけるＳＰＲ共鳴波長との差、ＰＢＳ（Δ）をグラフＰＢＳ＿１におけるＳＰＲ共鳴波長とＰＢＳ＿２におけるＳＰＲ共鳴波長との差、と定義すると、図６および図８に示すように、ＢＳＡ（Δ）＝３．４２ｎｍ、ＰＢＳ（Δ）＝５．７１ｎｍである。
【００７１】
図７は、ＢＳＡ抗原を担持したファイバ型バイオセンサのセンサプローブ１を、ＢＳＡ抗体を含有する被測定試料１４の試料溶液Ｂに浸漬した場合、図３に示す観測システムを用いて検出されたＢＳＡ抗体・抗原の結合反応前後のＳＰＲ波長特性の一例を示したグラフである。
【００７２】
ここで、用いた被測定試料１４の試料溶液ＢのＢＳＡ抗体濃度は４０μｇ／ｍｌであり、結合反応時間は同じく１５分である。この場合、図７および図８に示すように、ＢＳＡ（Δ）＝３．５３ｎｍ、ＰＢＳ（Δ）＝１０．２８ｎｍである。
【００７３】
図６乃至図８から明らかなように、本発明の第１の実施の形態に係る光ファイバ型バイオセンサおよびその計測システムを用いれば、少量の被測定試料１４の試料溶液でも感知目的の抗原もしくは抗体を高感度で測定することが可能である。
【００７４】
観測されたＳＰＲ共鳴による波長変化量ＰＢＳ（Δ）は、被測定試料１４の試料溶液のＢＳＡ抗体濃度にほぼ比例して変化し、抗体濃度を定量的に精度よく検出できることが示された。
【００７５】
本発明のバイオセンサ、バイオセンサの製造方法、およびセンサ計測システムによれば、タンパク質等の生体物質及び光反応性基を有する光架橋剤を含んだ光固定化剤を、透明丸棒の外周側面上に、ディップコーティングにより塗布し、紫外線照射より固定化することにより有機物質層を形成することにより、表面プラズモン共鳴現象を利用して被測定試料の屈折率、濃度、たんぱく質、抗体・抗原反応などを高感度に検出することができる。
【００７６】
[その他の実施の形態]
上記のように、本発明の実施の形態を記載したが、この開示の一部をなす論述及び図面はこの発明を限定するものであると理解すべきではない。この開示から当業者には様々な代替実施の形態、実施例及び運用技術が明らかとなろう。
【００７７】
このように、本発明はここでは記載していない様々な実施の形態などを含むことは勿論である。したがって、本発明の技術的範囲は上記の説明から妥当な特許請求の範囲に係る発明特定事項によってのみ定められるものである。
【図面の簡単な説明】
【００７８】
【図１】本発明の第１の実施の形態に係る光ファイバ型バイオセンサの模式的断面構造図。
【図２】本発明の第１の実施の形態に係る光ファイバ型バイオセンサの拡大された模式的断面構造図。
【図３】本発明の第１の実施の形態に係る光ファイバ型バイオセンサを適用した簡易計測システムの模式的構成図。
【図４】本発明の第１の実施の形態に係る光ファイバ型バイオセンサを適用した簡易計測システムの模式的構成であって、光源として、レーザダイオードＬＤもしくは発光ダイオードＬＥＤを用い、検出器としてフォトダイオードＰＤを用いた場合の模式的構成図。
【図５】本発明の第１の実施の形態に係る光ファイバ型バイオセンサを適用した簡易計測システムの模式的構成であって、光源として、レーザダイオードＬＤアレイ若しくは発光ダイオードＬＥＤアレイを用い、検出器としてフォトダイオードＰＤアレイを用いた場合の模式的構成図。
【図６】本発明の第１の実施の形態に係る光ファイバ型バイオセンサを用いて測定した試料溶液Ａの観測結果を示す図。
【図７】本発明の第１の実施の形態に係る光ファイバ型バイオセンサを用いて測定した試料溶液Ｂの観測結果を示す図。
【図８】本発明の第１の実施の形態に係る光ファイバ型バイオセンサを用いて測定した試料溶液Ａ、Ｂの測定データを示す図。
【図９】センシング部の長さと共鳴波長での深さの相関関係を示すグラフ。
【図１０】光カプラの具体例を示しており、（Ａ）は溶融型ファイバカプラ、（Ｂ）はフィルタ型ファイバカプラ、（Ｃ）は導波路型ファイバカプラをそれぞれ示している。
【符号の説明】
【００７９】
１…センサプローブ
２…透明丸棒２ａ…端面（センサ検出端面）
３…金属薄膜
４…有機物質層
４ａ…反応層
５ａ…クラッド層
５ｂ…樹脂被覆層
６…センサプローブ保持具
７…検知目的物質
１０…センサ計測システム
１１…光源
１１ａ…レーザダイオードもしくは発光ダイオード
１１ｂ…レーザダイオードアレイもしくは発光ダイオードアレイ
１２…検出器
１２ａ…フォトダイオード
１２ｂ…フォトダイオードアレイ
１３…光カプラ
１３ａ、１３ｂ、１３ｃ…光ファイバ
１４…被測定試料
４０…金属反射鏡
【図１】
2009133844.tif 000003
【図２】
2009133844.tif 000004
【図３】
2009133844.tif 000005
【図４】
2009133844.tif 000006
【図５】
2009133844.tif 000007
【図６】
2009133844.tif 000008
【図７】
2009133844.tif 000009
【図８】
2009133844.tif 000010
【図１０】
2009133844.tif 000011
【図９】
2009133844.tif 000012